(57)【要約】【課題】この発明は構成を簡単にして、リード線の配置位置を変更するだけで、陽極端子の突出が少ない最近の電池を用いたものでも外形寸法を従来と同様に小型化できるようにしたパック電池を得ようとするものである。【解決手段】複数個の円筒形電池５を並置配列した組電池２０を熱収縮チューブ３０内に収納しこれにリード線を接続したパック電池において、電池５の配列方向と同じ方向の電池の接線部と、この接線部の端部でこれと直角をなす電池の接線部と、その直角の頂点から垂直方向を向けた線部と、これらと円筒形電池の円周部で囲まれた部分にリード線を取り出せるようにＮｉ端子片２２を取り付け、この端子片にリード線２１を接続したパック電池である。【選択図】      図１
2010040332.tif 000002
【特許請求の範囲】
【請求項１】
複数個の円筒形電池を並置配列した組電池を熱収縮チューブ内に収納しこれにリード線を接続したパック電池において、
電池の配列方向と同じ方向の電池の接線部と、この接線部の端部でこれと直角をなす電池の接線部と、その直角の頂点から垂直方向を向けた線部と、これらと円筒形電池の円周部で囲まれた部分にリード線を取り出せるようにＮｉ端子片を取り付け、この端子片にリード線を接続したことを特徴とするパック電池。
【請求項２】
請求項１のパック電池において、リード線の取り出し位置が、電池の高さ方向における電池の高さを超えない範囲内の位置である請求項１記載のパック電池。
【発明の詳細な説明】
【技術分野】
【０００１】
この発明はパック電池に関し、とくに端子片とリード線の接続位置に改良を加えて外形寸法を最小にできるようにしたパック電池に関するものである。
【背景技術】
【０００２】
従来、パック電池に使用されていた電池は、図４に示すように電池５の陽極端子６が外側に比較的に大きく突出した形状の電池５が使用されていた。同図に示すように、従来は電池５の陽極端子６が比較的に大きく外側に出ていたので、陽極端子周辺に比較的大きな空間７がありこの部分を有効に利用して図３（Ａ）および（Ｂ）に示すようにリード線８を配線してパック電池を製作していたものである。
【０００３】
しかしながら、最近は電池の形状が変わり、図２に示すように陽極端子１０の突出が少なくなり、陽極端子の周辺に空間が少なくなってしまい従来と同じようにしてリード線を配置すると、この部分でリード線の部分が出っ張って、従来のように外形寸法を小さく押さえたパック電池の製作が困難となってきた。
【０００４】
パック電池の従来技術としては、電池ブロックと、リード線と温度検出素子とを電池ケースに収納したパック電池において、温度検出素子はそのリード線が弾力性を有しており、電池ケースには温度検出素子を電池列間の谷間空間に固定する第１のリブ体と、リード線部の固定を行う第２のリブ体を有するパック電池が公知である（例えば、特許文献１）。
【特許文献１】特開２０００−２７７０６９号
【発明の開示】
【発明が解決しようとする課題】
【０００５】
上記の先行技術によると、確かに電池間の谷間空間にリード線を配置して固定するようにしているので外形寸法を小型化することは可能であるが、しかしこの場合は電池ケースにリブを取り付ける手間が必要となり、形状が複雑で製作コストがかかり問題があった。
【０００６】
この発明は構成を簡単にして、リード線の配置位置を変更するだけで、陽極端子の突出が少ない最近の電池を用いたものでも外形寸法を従来と同様に小型化できるようにしたパック電池を得ようとするものである。
【課題を解決するための手段】
【０００７】
この発明は、複数個の円筒形電池を並置配列した組電池を熱収縮チューブ内に収納しこれにリード線を接続したパック電池において、
電池の配列方向と同じ方向の電池の接線部と、この接線部の端部でこれと直角をなす電池の接線部と、その直角の頂点から垂直方向を向けた線部と、これらと円筒形電池の円周部で囲まれた部分にリード線を取り出せるようにＮｉ端子片を取り付け、この端子片にリード線を接続したことを特徴とするパック電池である。
【発明の効果】
【０００８】
この発明によれば、リード線の配置位置を変更するだけで簡単に外形寸法を小型化できるようにしたパック電池を得ることができるものである。また、この発明によればそのために特別に新たな部品も必要としない。さらに、組み立て作業も従来とほぼ同じようにできて安価にパック電池を作製することが可能である。
【発明を実施するための最良の形態】
【０００９】
図２は最近使用されている陽極端子の突出が少ない型の電池で、（Ａ）は上面図、（Ｂ）は側面図である。同図に示すように、この電池は図４に示す従来の電池と比べ陽極端子１０の突出は非常に少ない。この電池を用いてこの発明の電池パックとしたものを図１に示した。
【００１０】
図１の（Ａ）は、この発明のパック電池の上面図である。このパック電池では単電池セルを一列電池として組電池２０としたものである。この組電池の一方の陽極端子２３には、電池の配列方向と同じ方向の電池の接線部と、この接線部の端部でこれと直角をなす電池の接線部と、その直角の頂点から垂直方向を向けた線部と、円筒形電池の円周部で囲まれた部分Ａからリード線を取り出せるようにＮｉ端子片２２をスポット溶接で取り付け、この端子片２２にリード線２１を接続する。
【００１１】
次いで、図１（Ｂ）に示すようにリード線２１を組電池２０の側面に沿って図示するようにして折り曲げる。なお、２５は相隣接する電池の陽極端子と陰極を接続する接続片である。
【００１２】
組電池２０の他端の陽極端子についても図１（Ｂ）に示すように、同じようにしてリード線２１を、陽極端子の配列方向に対して電池の配列方向と同じ方向の電池の接線部と、この接線部の端部でこれと直角をなす電池の接線部と、その直角の頂点から垂直方向を向けた線部と、円筒形電池の円周部で囲まれた部分Ｂからリード線を取り出せるようにＮｉ端子片をスポット溶接で取り付け、この端子にリード線を接続する。その後、次いで、図１（Ｂ）に示すようにリード線２１を組電池２０の側面に沿って図示するようにして折り曲げる。
【００１３】
その後、リード線２１をある程度の力で引っ張っても耐えられるように、組電池２０の周囲にポリエチレンテープ２９を貼って押さえつけておく。リード線の取り出し位置は電池の高さ方向において、電池高さを超えない範囲から取り出すようにする。なお、陽極側のニッケル端子には短絡保護のために絶縁チューブをかけておくことが好ましい。最後に、熱収縮チューブ３０で全体をパックしてパック電池とする。
【図面の簡単な説明】
【００１４】
【図１】この発明のパック電池で、（Ａ）は上面図、（Ｂ）は側面図である。
【図２】この発明のパック電池に用いられる電池で、（Ａ）は上面図、（Ｂ）は側面図である。
【図３】従来のパック電池で、（Ａ）は上面図、（Ｂ）は側面図である。
【図４】従来のパック電池に用いられる電池で、（Ａ）は上面図、（Ｂ）は側面図である。
【符号の説明】
【００１５】
５‥‥電池、６，１０，２３‥‥陽極端子、２０‥‥組電池、２１‥‥リード線、２２‥‥ニッケル端子片、２５‥‥接続片、２９‥‥ポリエチレンテープ、３０‥‥熱収縮チューブ。
【図１】
2010040332.tif 000003
【図２】
2010040332.tif 000004
【図３】
2010040332.tif 000005
【図４】
2010040332.tif 000006